(57)【要約】      （修正有）【課題】風向／風速の測定値の異常検出の信頼性の向上を図ること。【解決手段】風向／風速計監視装置１３０は、風向／風速計１２１と同一または近傍の位置に設置された吹流し１３１を監視することで、間接的に風向／風速計１２１の挙動を監視する。風向／風速計監視装置１３０は、ポール１３２に支持された吹流し１３１と、吹流し１３１を撮像するカメラ１３３と、カメラ１３３により撮像された撮像画像を風向／風速監視装置１０２に送信する第２の送信機１３４とを備えている。吹流し１３１は、風向／風速計１２１と同一または近傍の位置に設置される。カメラ１３３は吹流し１３１を撮像することで、吹流し１３１のおおよその風向と風速を風向／風速監視装置１０２で得ることができる。第２の送信機１３４は、符号化された撮像画像（電気信号）を光信号に変換し、第２の伝送路１１２を伝って、光信号を風向／風速監視装置１０２に送信する。【選択図】図１
2008116359.tif 000002
【特許請求の範囲】
【請求項１】
観測地点に設置された風向／風速計によって測定された風向／風速に関する測定値と、前記観測地点と同一または近傍の地点に設置された吹流しの挙動に関する一連の撮影画像とを受信する受信手段と、
前記受信手段によって受信された一連の撮影画像の中から、前記受信手段によって受信された前記風速に関する測定値が測定されたときの撮影画像を抽出する抽出手段と、
前記抽出手段によって抽出された撮影画像を解析する解析手段と、
前記解析手段によって解析された解析結果に基づいて、前記風向／風速に関する測定値の妥当性を判定する判定手段と、
前記判定手段によって判定された判定結果に応じた警報情報を出力する出力手段と、
を備えることを特徴とする風向／風速監視装置。
【請求項２】
前記受信手段によって受信された風速に関する測定値に基づいて、前記観測地点における風の強さを判断する判断手段を備え、
前記判定手段は、
前記判断手段によって判断された風の強さに基づいて、前記風向／風速に関する測定値の妥当性を判定することを特徴とする請求項１に記載の風向／風速監視装置。
【請求項３】
前記解析手段は、
前記判断手段によって強風状態であると判断された場合、前記抽出手段によって抽出された撮影画像から、前記風速に関する測定値が測定されたときの前記吹流しの浮き上がり角度を解析し、
前記判定手段は、
前記吹流しの浮き上がり角度に基づいて、前記風速に関する測定値の妥当性を判定することを特徴とする請求項２に記載の風向／風速監視装置。
【請求項４】
前記解析手段は、
前記判断手段によって無風状態であると判断された場合、前記抽出手段によって抽出された撮影画像から、前記風速に関する測定値が測定されたときの前記吹流しの浮き上がり角度を解析し、
前記判定手段は、
前記吹流しの浮き上がり角度に基づいて、前記風速に関する測定値の妥当性を判定することを特徴とする請求項２に記載の風向／風速監視装置。
【請求項５】
観測地点に設置された風向／風速計によって測定された風向／風速に関する測定値と、前記観測地点と同一または近傍の地点に設置された吹流しの挙動に関する一連の撮影画像とを受信する受信工程と、
前記受信工程によって受信された一連の撮影画像の中から、前記受信工程によって受信された前記風速に関する測定値が測定されたときの撮影画像を抽出する抽出工程と、
前記抽出工程によって抽出された撮影画像を解析する解析工程と、
前記解析工程によって解析された解析結果に基づいて、前記風向／風速に関する測定値の妥当性を判定する判定工程と、
前記判定工程によって判定された判定結果に応じた警報情報を出力する出力工程と、
を含んだことを特徴とする風向／風速監視方法。
【請求項６】
観測地点に設置された風向／風速計によって測定された風向／風速に関する測定値と、前記観測地点と同一または近傍の地点に設置された吹流しの挙動に関する一連の撮影画像とを受信させる受信工程と、
前記受信工程によって受信された一連の撮影画像の中から、前記受信工程によって受信された前記風速に関する測定値が測定されたときの撮影画像を抽出させる抽出工程と、
前記抽出工程によって抽出された撮影画像を解析させる解析工程と、
前記解析工程によって解析された解析結果に基づいて、前記風向／風速に関する測定値の妥当性を判定させる判定工程と、
前記判定工程によって判定された判定結果に応じた警報情報を出力させる出力工程と、
をコンピュータに実行させることを特徴とする風向／風速監視プログラム。
【請求項７】
観測地点に設置された風向／風速計と、前記観測地点における風向／風速を監視する監視装置と、を備える風向／風速監視システムにおいて、
前記観測地点と同一または近傍の地点に設置された吹流しと、
前記吹流しを撮影する撮影手段と、を備え、
前記監視装置は、
前記風向／風速計から伝送されてくる風向／風速に関する測定値と、前記撮影手段から伝送されてくる前記吹流しの挙動に関する一連の撮影画像の解析結果と、に基づいて、前記測定値の妥当性を判定することを特徴とする風向／風速監視システム。
【請求項８】
風向／風速を測定する風向／風速計が設置されている観測地点と同一または近傍の地点に設置された吹流しと、
前記吹流しを撮影するカメラと、
前記風向／風速計から伝送されてくる風向／風速に関する測定値を受信することにより前記観測地点における風向／風速を監視する監視装置に対し、前記カメラによって撮影された前記吹流しの挙動に関する一連の撮影画像を送信する送信機と、
を備えることを特徴とする風向／風速計監視装置。
【発明の詳細な説明】
【技術分野】
【０００１】
この発明は、交通機関の交通網における風向／風速を監視する風向／風速監視装置、風向／風速監視方法、風向／風速監視プログラム、該プログラムを記録した記録媒体、風向／風速監視システム、および風向／風速計監視装置に関する。
【背景技術】
【０００２】
従来から、風向／風速監視システムは、遠隔測定点の風向／風速計からの測定データ（風向値、風速値）を監視センタで受信し、警報値以上の風速値を受信することにより運行停止等の交通規制のトリガとしている。たとえば、鉄道網においては、主要駅を監視センタとし、線路上の所定の位置に所定間隔で風向／風速計とその測定データを送信する送信装置とが設置されている。また、送信装置から監視センタまでの伝送路には、メタリックケーブルが用いられ、線路脇のピットに敷設されている。
【０００３】
このような風向／風速監視システムにおいては、プロペラ飛行機の形状をモデルにした風向／風速計が用いられるのが一般的である。すなわち、回転可能なプロペラ部により風速を検出するとともに、ポールを風向軸として風向／風速計を回動自在に取り付けることにより、風向を検出可能としている。
【０００４】
このような可動式の風向／風速計は、可動部分に付着した水滴の氷結や内部への粉塵や水滴の侵入により、測定データの異常や風向／風速計の故障が発生する原因となる。したがって、可動式の風向／風速計を用いた従来の風向／風速監視システムでは、当該風向／風速計の異常検出を風向／風速計からの測定データを用いて迅速におこなうシステムが提案されている（たとえば、下記特許文献１を参照。）。
【０００５】
この風向／風速監視システムでは、所定時間無風状態が継続したことを検出し、かつ、所定時間内に所定回数風向が変化したことを検出した場合、風向／風速計の異常警報を出力する構成となっている。
【０００６】
また、風向／風速計の信頼性を高めるために、従来の風向／風速計のような可動部分がない特殊な風向／風速計も提案されている。さらに、この特殊な風向／風速計の近傍に配置された全方位カメラにより撮影された風景画像を、当該風向／風速計からの測定データとともに提供するシステムも提案されている（たとえば、下記特許文献２を参照。）。この風向／風速監視システムでは、風向／風速計の設置位置周辺の風景画像を監視センタからユーザに提供することができる。
【０００７】
【特許文献１】特開平１１−７２５０２号公報
【特許文献２】特開２０００−２５８５５５号公報
【発明の開示】
【発明が解決しようとする課題】
【０００８】
しかしながら、上述した従来の風向／風速計では、風向／風速計から伝送路までのノイズの影響により異常が発生した場合、誤った風向値および風速値を提供することとなり、測定データの信頼性が低いという問題があった。
【０００９】
また、伝送路は約数十キロも敷設されているため既設の伝送路を用いるのが設備コスト上有用であるが、既設の伝送路には、メタリックケーブルが用いられているため、測定データにノイズが発生しやすい。たとえば、伝送路が鉄道網に敷設された場合、新幹線や電車などの鉄道車両が線路を走行しているときに測定データが伝送されていると、ノイズが加わる場合がある。このため、すでに敷設されているメタリックケーブルに替えてノイズの影響が少ない伝送線（たとえば、光ケーブル）をあらたに敷設するとなると、設備コストが増大するという問題があった。
【００１０】
また、ノイズの影響が少ない光ケーブルが既に敷設された箇所では、測定データの異常発生頻度がメタリックケーブルよりも低下するといえども、一度測定データにノイズが発生してしまえば、メタリックケーブルの場合と同様、誤った風向値および風速値を提供することとなり、測定データの信頼性が低下するという問題があった。
【００１１】
また、上述した特許文献１の風向／風速監視システムでは、風向／風速計近傍の風景画像を撮像しており、風向／風速計自体は撮影していないため、風向／風速計の状態を視覚的に監視することができない。また、風向／風速計を撮像したとしても、この風向／風速計は可動部分がないため、監視カメラからの映像を見ただけでは、風向／風速計が正常に機能しているかがわからず、監視者による監視が無駄になるという問題が生じることとなる。
【００１２】
また、可動式の風向／風速計の実際の挙動を確認するために監視カメラを設置してモニタリングすることも考えられるが、この場合、監視センタにおいて監視者が常時監視カメラからの映像を見る必要があり、監視者の負担が増大するという問題が生じることとなる。
【００１３】
また、監視カメラからの映像を見ただけでは、風向／風速計が正常なのか故障しているのかといった区別がつかず、監視者による監視が無駄になるという問題が生じることとなる。たとえば、プロペラ部が回転していない映像である場合、無風なのか故障により回転不能となっているかが監視カメラからの映像では判断できないこととなる。
【００１４】
このように、風向／風速監視システムにおいて伝送路は必須要素であるが、伝送路を用いることにより測定データの信頼性が低下する。したがって、強風状態であるにもかかわらず測定データにより無風であると判断してしまうと、安全運行に支障をきたすという問題があった。
【００１５】
また、伝送路に関して設備コストが増大すると交通網への普及率が低下し、安全性を網羅することができないという問題が生じることとなる。さらに、風向／風速計を監視カメラで監視しても監視者の負担が増大し、また監視自体が無駄になるという問題が生じることとなる。
【００１６】
この発明は、上述した従来技術による問題点を解消するため、風向／風速の測定値の異常を自動的に検出することにより、交通機関における運行の安全性の向上を図ることができる風向／風速監視装置、風向／風速監視方法、風向／風速監視プログラム、該プログラムを記録した記録媒体、風向／風速監視システム、および風向／風速計監視装置を提供することを目的とする。
【課題を解決するための手段】
【００１７】
上述した課題を解決し、目的を達成するため、第１の発明にかかる風向／風速監視装置、風向／風速監視方法、風向／風速監視プログラム、該プログラムを記録した記録媒体は、観測地点に設置された風向／風速計によって測定された風向／風速に関する測定値と、前記観測地点と同一または近傍の地点に設置された吹流しの挙動に関する一連の撮影画像とを受信し、受信された一連の撮影画像の中から、受信された前記風速に関する測定値が測定されたときの撮影画像を抽出し、抽出された撮影画像を解析し、解析結果に基づいて、前記風向／風速に関する測定値の妥当性を判定し、判定結果に応じた警報情報を出力することを特徴とする。
【００１８】
この発明によれば、測定値の異常を自動検出することができる。また、測定値が正常であればそれに応じた警報をおこなうことができる。
【００１９】
また、上記発明において、受信された風速に関する測定値に基づいて、前記観測地点における風の強さを判断し、判断された風の強さに基づいて、前記風向／風速に関する測定値の妥当性を判定することとしてもよい。
【００２０】
この発明によれば、風向／風速に関する測定値の妥当性判定を、風の強さに応じて実行することができる。
【００２１】
また、上記発明において、強風状態であると判断された場合、抽出された撮影画像から、前記風速に関する測定値が測定されたときの前記吹流しの浮き上がり角度を解析し、前記吹流しの浮き上がり角度に基づいて、前記風速に関する測定値の妥当性を判定することとしてもよい。
【００２２】
この発明によれば、風速に関する測定値の異常を自動検出することができる。
【００２３】
また、上記発明において、強風状態であると判断された場合、抽出された撮影画像から、前記風速に関する測定値が測定されたときの前記吹流しが流れている方角を解析し、前記吹流しが流れている方角に基づいて、前記風向に関する測定値の妥当性を判定することとしてもよい。
【００２４】
この発明によれば、風向に関する測定値の異常を自動検出することができる。
【００２５】
また、上記発明において、強風状態であると判断された場合、抽出された撮影画像から、前記風速に関する測定値が測定されたときの前記吹流しの浮き上がり角度と前記吹流しが流れている方角とを解析し、前記吹流しの浮き上がり角度に基づいて、前記風速に関する測定値の妥当性を判定するとともに、前記吹流しが流れている方角に基づいて、前記風向に関する測定値の妥当性を判定することとしてもよい。
【００２６】
この発明によれば、風向／風速に関する測定値の異常を検出することができる。
【００２７】
また、上記発明において、前記吹流しの浮き上がり角度が強風状態を示すしきい値以上である場合、前記風速に関する測定値が妥当であると判定することとしてもよい。また、前記吹流しの浮き上がり角度が強風状態を示すしきい値未満である場合、前記風速に関する測定値が妥当でないと判定することとしてもよい。
【００２８】
この発明によれば、撮影画像から強風を示す風速という数値データを抽出することができ、風速に関する測定値の妥当性判定をおこなうことができる。
【００２９】
また、上記発明において、前記吹流しが流れている方角と前記風向に関する測定値との差分が所定範囲内である場合、前記風向に関する測定値が妥当であると判定することとしてもよい。また、上記発明において、前記吹流しが流れている方角と前記風向に関する測定値との差分が所定範囲内でない場合、前記風向に関する測定値が妥当でないと判定することとしてもよい。
【００３０】
この発明によれば、撮影画像から強風を示す風向という数値データを抽出することができ、風向に関する測定値の妥当性判定をおこなうことができる。
【００３１】
また、上記発明において、妥当性ありと判定された場合、強風に関する警報情報を出力することとしてもよい。
【００３２】
この発明によれば、信頼性の高い強風警報を報知することができる。
【００３３】
また、上記発明において、妥当性なしと判定された場合、前記風速に関する測定値の異常に関する警報情報を出力することとしてもよい。
【００３４】
この発明によれば、測定データの異常を自動検出することができるとともに、誤った強風警報を防止することができる。
【００３５】
また、上記発明において、無風状態であると判断された場合、抽出された撮影画像から、前記風速に関する測定値が測定されたときの前記吹流しの浮き上がり角度を解析し、前記吹流しの浮き上がり角度に基づいて、前記風速に関する測定値の妥当性を判定することとしてもよい。
【００３６】
この発明によれば、風速に関する測定値の異常を自動検出することができる。
【００３７】
また、上記発明において、無風状態であると判断された場合、抽出された撮影画像から、前記風速に関する測定値が測定されたときの前記吹流しが流れている方角を解析し、前記吹流しが流れている方角に基づいて、前記風向に関する測定値の妥当性を判定することとしてもよい。
【００３８】
この発明によれば、風向に関する測定値の異常を自動検出することができる。
【００３９】
また、上記発明において、無風状態であると判断された場合、抽出された撮影画像から、前記風速に関する測定値が測定されたときの前記吹流しの浮き上がり角度と前記吹流しが流れている方角とを解析し、前記吹流しの浮き上がり角度に基づいて、前記風速に関する測定値の妥当性を判定するとともに、前記吹流しが流れている方角に基づいて、前記風向に関する測定値の妥当性を判定することとしてもよい。
【００４０】
この発明によれば、風向／風速に関する測定値の異常を自動検出することができる。
【００４１】
また、上記発明において、前記吹流しの浮き上がり角度が無風状態を示すしきい値以下である場合、前記風速に関する測定値が妥当であると判定することとしてもよい。また、前記吹流しの浮き上がり角度が無風状態を示すしきい値より大きい場合、前記風速に関する測定値が妥当でないと判定することとしてもよい。
【００４２】
この発明によれば、撮影画像から無風を示す風速という数値データを抽出することができ、風速に関する測定値の妥当性判定をおこなうことができる。
【００４３】
また、上記発明において、前記吹流しが流れている方角が一定である場合、前記風向に関する測定値が妥当であると判定することとしてもよい。また、前記吹流しが流れている方角が一定でない場合、前記風向に関する測定値が妥当でないと判定することとしてもよい。
【００４４】
この発明によれば、撮影画像から無風を示す風向という数値データを抽出することができ、風向に関する測定値の妥当性判定をおこなうことができる。
【００４５】
また、上記発明において、前記観測地点が無風であると判断されたときから所定の監視時間が経過するまでの間に、妥当性ありと判定された場合、前記所定の監視時間が経過するまでの間に、妥当性を再判定することとしてもよい。
【００４６】
この発明によれば、正常状態において監視を継続することができる。
【００４７】
また、上記発明において、妥当性なしと判定された場合、前記測定値の異常に関する警報情報を出力することとしてもよい。
【００４８】
この発明によれば、測定値の異常を自動検出することができる。
【００４９】
また、第２の発明にかかる風向／風速監視システムは、観測地点に設置された風向／風速計と、前記観測地点における風向／風速を監視する監視装置と、を備える風向／風速監視システムにおいて、前記観測地点と同一または近傍の地点に設置された吹流しと、前記吹流しを撮影する撮影手段と、を備え、前記監視装置は、前記風向／風速計から伝送されてくる風向／風速に関する測定値と、前記撮影手段から伝送されてくる前記吹流しの挙動に関する一連の撮影画像の解析結果と、に基づいて、前記測定値の妥当性を判定することを特徴とする。
【００５０】
この発明によれば、測定値の異常を自動検出することができる。また、測定値が正常であればそれに応じた警報をおこなうことができる。
【００５１】
また、第３の発明にかかる風向／風速計監視装置は、風向／風速を測定する風向／風速計が設置されている観測地点と同一または近傍の地点に設置された吹流しと、前記吹流しを撮影するカメラと、前記風向／風速計から伝送されてくる風向／風速に関する測定値を受信することにより前記観測地点における風向／風速を監視する監視装置に対し、前記カメラによって撮影された前記吹流しの挙動に関する一連の撮影画像を送信する送信機と、を備えることを特徴とする。
【００５２】
この発明によれば、風向／風速計の計測状態を風向／風速監視装置に提供することができる。
【発明の効果】
【００５３】
本発明にかかる風向／風速監視装置、風向／風速監視方法、風向／風速監視プログラム、該プログラムを記録した記録媒体、風向／風速監視システム、および風向／風速計監視装置によれば、風向／風速の測定値の異常検出の信頼性の向上を図ることにより、交通機関における運行の安全性の向上を図ることができるという効果を奏する。
【発明を実施するための最良の形態】
【００５４】
以下に添付図面を参照して、この発明にかかる風向／風速監視装置、風向／風速監視方法、風向／風速監視プログラム、該プログラムを記録した記録媒体、風向／風速監視システム、および風向／風速計監視装置の好適な実施の形態を詳細に説明する。
【００５５】
（風向／風速監視システムの概略構成）
まず、この発明の実施の形態にかかる風向／風速監視システムの概略構成について説明する。図１は、この発明の実施の形態にかかる風向／風速監視システムの概略構成を示す説明図である。ここでは、交通網として鉄道網を例にあげて説明する。
【００５６】
図１において、風向／風速監視システム１００は、観測地点ごとに設置された複数の計測装置１０１とサーバとして機能する風向／風速監視装置１０２とが、伝送路１１０（第１の伝送路１１１および第２の伝送路１１２）により接続されて構成されている。
【００５７】
計測装置１０１は、交通網、たとえば、鉄道網においては、線路１５０上の観測地点に所定間隔で風向／風速計１２１とその測定データを送信する第１の送信機１２２とが設置されている。風向／風速計１２１はその設置位置となる観測地点の風向／風速に関する信号を出力する。以降、「風向／風速」と表記した場合は、風向および風速のうち少なくとも風速が含まれる。風向／風速計１２１は、背景技術の項で説明した可動式のものであってもよく、非可動式のものであってもよい。なお、以降、可動式の風向／風速計１２１として説明する。
【００５８】
また、第１の送信機１２２は、風向／風速計１２１から得られた風向／風速に関する測定信号の信号処理をおこない、測定データとして第１の伝送路１１１を経由して風向／風速監視装置１０２に送信する。なお、風向／風速計１２１と第１の送信機１２２との間は、第３の伝送路１２３により接続されている。風向／風速計１２１から出力される風向／風速に関する信号は、第３の伝送路１２３を経由して第１の送信機１２２に送られる。
【００５９】
風向／風速計監視装置１３０は、風向／風速計１２１の挙動を撮像し、その撮像画像を第２の伝送路１１２を経由して風向／風速計監視装置１３０に送信する。風向／風速監視装置１０２の詳細については図２において後述する。
【００６０】
伝送路１１０（第１の伝送路１１１および第２の伝送路１１２）は、計測装置１０１と風向／風速監視装置１０２とを接続するケーブルであり、線路１５０に沿って、具体的には、線路１５０脇のピットに敷設されている。また、伝送路１１０は、メタリックケーブルや光ケーブルが用いられる。伝送路１１０での送信中に新幹線などの鉄道車両が走行すると、送信中の測定データや撮像画像にノイズが重畳されることがある。
【００６１】
本発明では、伝送路１１０における送信中に生じるノイズの影響に主眼をおいているため、メタリックケーブルよりもノイズの影響が少ない光ケーブルを用いることが好ましいが、鉄道網ではすでにメタリックケーブルが敷設されている路線もあるため、メタリックケーブルをそのまま第１の伝送路１１１として用いるのが、設置コスト面から好ましい。
【００６２】
風向／風速計１２１と第１の送信機１２２との間を接続している第３の伝送路１２３についても同様である。一方、第２の伝送路１１２はあらたに敷設される伝送路１１０であるため、メタリックケーブルでもよく、または光ケーブルでもよい。なお、以降、第１の伝送路１１１および第３の伝送路１２３をメタリックケーブル、第２の伝送路１１２を光ケーブルとして説明する。
【００６３】
また、風向／風速監視装置１０２は、風向／風速計１２１および第１の送信機１２２から得られる風向／風速に関する測定データを第１の伝送路１１１を介して受信する。そして、その測定データで示される風速値および風向（方角）を報知する。また、強風状態（たとえば、風速２０ｋｍ以上）である場合には、強風警報を報知する。また、風向／風速監視装置１０２は、風向／風速計監視装置１３０から得られる一連の撮像画像を記憶しておき、必要に応じて記憶された撮像画像を取り出して解析することにより、測定データの異常を検出する。そして、誤りが判明した場合には、異常警報を報知する。
【００６４】
（計測装置１０１の具体的構成）
つぎに、図１に示した計測装置１０１の具体的構成について説明する。図２は、図１に示した計測装置１０１の具体的構成を示す説明図である。図２において、まず、風向／風速計１２１は、計測本体１２１ａと風向軸１２１ｂとから構成されている。計測本体１２１ａは、風向軸１２１ｂに対し回動自在に取り付けられており、風が吹く方向を指し示す。計測本体１２１ａは、プロペラ飛行機の形状をモデルとしており、その機首が指し示す方向が風向となる。このときの機首が指し示す方角が風向の測定信号となる。また、機首の先端にはプロペラが回転可能に軸支されており、風が吹くことにより回転する。この回転数が風速の測定信号となる。各測定信号は、第３の伝送路１２３を伝って第１の送信機１２２に受信される。
【００６５】
また、第１の送信機１２２は、Ａ／Ｄコンバータ１２２ａと送信部１２２ｂとから構成されている。Ａ／Ｄコンバータ１２２ａは、風向／風速計１２１から伝送されてくるアナログ信号の測定信号をディジタル信号の測定データに変換する。送信部１２２ｂは、測定データを第１の伝送路１１１を伝って風向／風速監視装置１０２に送信する。この測定データは風向／風速の測定値をあらわす。
【００６６】
また、風向／風速計監視装置１３０は、風向／風速計１２１の挙動を監視する。具体的には、風向／風速計１２１と同一または近傍の位置に設置された吹流し１３１を監視することで、間接的に風向／風速計１２１の挙動を監視する。この風向／風速計監視装置１３０は、ポール１３２に支持された吹流し１３１と、吹流し１３１を撮像するカメラ１３３と、カメラ１３３により撮像された撮像画像を風向／風速監視装置１０２に送信する第２の送信機１３４とを備えている。
【００６７】
吹流し１３１は、布を筒状にしたものをロープでポール１３２に結び付け、風になびくようにした風の向きおよび強さを視覚的に報知するための道具である。吹流し１３１は、風向／風速計１２１と同一または近傍の位置に設置される。ここで、近傍の位置とは、具体的には、風向／風速計１２１と同一の風向／風速を計測することができるとされる位置である。たとえば、風向／風速計１２１から半径５［ｍ］や１０［ｍ］などでよい。また、風向／風速計１２１と同一位置にする場合には、風向／風速計１２１の風向軸１２１ｂに取り付けることとなる。
【００６８】
また、カメラ１３３は吹流し１３１を撮像する。ここでは、吹流し１３１に向けられている２台のカメラ１３３（第１のカメラ１３３ａ、第２のカメラ１３３ｂ）を地面と水平でかつ互いに直交する位置に設置し、その設置位置から吹流し１３１の撮像画像を得ることで、吹流し１３１のおおよその風向と風速（風の強さ）を風向／風速監視装置１０２で得ることができる。
【００６９】
また、第２の送信機１３４は、エンコーダ１３４ａとＥ／Ｏコンバータ１３４ｂとを備える。エンコーダ１３４ａはカメラ１３３からの撮像画像を符号化する。Ｅ／Ｏコンバータ１３４ｂは、符号化された撮像画像（電気信号）を光信号に変換し、第２の伝送路１１２（光ケーブル）を伝って、光信号を風向／風速監視装置１０２に送信する。
【００７０】
つぎに、カメラ１３３による風向／風速の撮像について説明する。図３は、カメラ１３３による風向の撮像を示す説明図である。図３において、第１のカメラ１３３ａは南から北に向けられており、第２のカメラ１３３ｂは西から東に向けられているものとする。また、方角については、北を０°（一周すると３６０°）、東を９０°（一周すると４５０°）、南を１８０°、西を２７０°とあらわすこととする。
【００７１】
第１のカメラ１３３ａにより吹流し１３１がポール１３２より右側に撮像されている場合には、風は少なくとも北〜南方向に吹いており、風向は０°〜１８０°の間であると推定される。一方、吹流し１３１がポール１３２より左側に撮像されている場合には、風は少なくとも南〜北方向に吹いており、風向は１８０°〜３６０°の間であると推定される。
【００７２】
また、第２のカメラ１３３ｂにより吹流し１３１がポール１３２より右側に撮像されている場合には、風は少なくとも東〜西方向に吹いており、風向は９０°〜２７０°の間であると推定される。一方、吹流し１３１がポール１３２より左側に撮像されている場合には、風は少なくとも西〜東方向に吹いており、風向は２７０°〜４５０°の間であると推定される。
【００７３】
したがって、２台のカメラ１３３により吹流し１３１が流れている方角が、北から東の間、東から南の間、南から西の間、西から北の間に特定される。また、より詳細な方角を得たい場合には、吹流し１３１の縞模様の画像の位置や、吹流し１３１の自由端側の画像の位置により、画像解析をすることで特定することができる。このような解析処理は、後述する解析部により実行する。
【００７４】
図４は、カメラ１３３による風速の撮像を示す説明図である。風速はいずれか一方のカメラ１３３により特定することができる。ここでは、第１のカメラ１３３ａを用いて説明する。第１のカメラ１３３ａでは、吹き上がりの浮き上がっている姿勢を撮像しているため、ポール１３２と吹き上がりの角度（浮き上がり角度）θを解析する。この浮き上がり角度θが強風状態を示すしきい値（たとえば、８０°）以上であれば、強風と判断することができる。また、この浮き上がり角度θが無風状態を示すしきい値（たとえば、０°や５°）以下である場合、無風であると判断することができる。この解析処理も後述する解析部により実行する。
【００７５】
なお、風速１０ｍ以上の強風が吹いている場合、その勢いで吹流し１３１が上下に揺動するため、吹流し１３１の浮き上がり角度が上昇したり、強風状態を示すしきい値よりも低くなったりする場合がある。このような場合、たまたま解析した撮像画像がしきい値未満となると、風速を誤検出することとなるため、一定時間連続して得られた一連の撮像画像を解析し、その平均をとるなどして解析結果の信頼性を高めることができる。
【００７６】
（風向／風速監視装置１０２のハードウェア構成）
まず、この発明の実施の形態にかかる風向／風速監視装置１０２のハードウェア構成について説明する。図５は、この発明の実施の形態にかかる風向／風速監視装置１０２のハードウェア構成を示すブロック図である。
【００７７】
図５において、風向／風速監視装置１０２は、ＣＰＵ５０１と、ＲＯＭ５０２と、ＲＡＭ５０３と、ＨＤＤ（ハードディスクドライブ）５０４と、ＨＤ（ハードディスク）５０５と、ＦＤＤ（フレキシブルディスクドライブ）５０６と、着脱可能な記録媒体の一例としてのＦＤ（フレキシブルディスク）５０７と、ディスプレイ５０８と、Ｉ／Ｆ（インターフェース）５０９と、キーボード５１０と、マウス５１１と、スキャナ５１２と、プリンタ５１３と、を備えている。また、各構成部はバス５００によってそれぞれ接続されている。
【００７８】
ここで、ＣＰＵ５０１は、風向／風速監視装置１０２の全体の制御を司る。ＲＯＭ５０２は、ブートプログラムなどのプログラムを記憶している。ＲＡＭ５０３は、ＣＰＵ５０１のワークエリアとして使用される。ＨＤＤ５０４は、ＣＰＵ５０１の制御にしたがってＨＤ５０５に対するデータのリード／ライトを制御する。ＨＤ５０５は、ＨＤＤ５０４の制御で書き込まれたデータを記憶する。
【００７９】
ＦＤＤ５０６は、ＣＰＵ５０１の制御にしたがってＦＤ５０７に対するデータのリード／ライトを制御する。ＦＤ５０７は、ＦＤＤ５０６の制御で書き込まれたデータを記憶したり、ＦＤ５０７に記憶されたデータを風向／風速監視装置１０２に読み取らせたりする。
【００８０】
また、着脱可能な記録媒体として、ＦＤ５０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイ５０８は、カーソル、アイコンあるいはツールボックスをはじめ、文書、画像、機能情報などのデータを表示する。このディスプレイ５０８は、たとえば、ＣＲＴ、ＴＦＴ液晶ディスプレイ、プラズマディスプレイなどを採用することができる。
【００８１】
Ｉ／Ｆ５０９は、受信機５９１とＯ／Ｅコンバータ５９２とデコーダ５９３とを備えている。受信機５９１は、各観測地点に設置された風向／風速計１２１からの測定データを受信する。Ｏ／Ｅコンバータ５９２は、風向／風速計監視装置１３０からの撮像画像（光信号）を電気信号に変換する。デコーダ５９３は、その変換された電気信号（符号化撮像画像）を復号化する。復号化された撮像画像は、ＲＡＭ５０３やＨＤ５０５などの記録媒体に記録される。
【００８２】
Ｉ／Ｆ５０９は、そのほか、通信回線を通じてインターネットなどのネットワークに接続され、このネットワークを介して他の装置に接続されることとしてもよい。この場合、Ｉ／Ｆ５０９は、ネットワークと内部のインターフェースを司り、外部装置からのデータの入出力を制御する。Ｉ／Ｆ５０９には、たとえばモデムやＬＡＮアダプタなどを採用することができる。
【００８３】
キーボード５１０は、文字、数字、各種指示などの入力のためのキーを備え、データの入力をおこなう。また、タッチパネル式の入力パッドやテンキーなどであってもよい。マウス５１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００８４】
スキャナ５１２は、画像を光学的に読み取り、風向／風速監視装置１０２内に画像データを取り込む。なお、スキャナ５１２は、ＯＣＲ機能を持たせてもよい。また、プリンタ５１３は、画像データや文書データを印刷する。プリンタ５１３には、たとえば、レーザプリンタやインクジェットプリンタを採用することができる。そのほか、出力装置としてスピーカを備えてもよい。
【００８５】
（風向／風速監視装置１０２の機能的構成）
つぎに、図１に示した風向／風速監視装置１０２の機能的構成について説明する。図６は、図１に示した風向／風速監視装置１０２の機能的構成を示すブロック図である。図６において、風向／風速監視装置１０２は、受信部６０１と、画像ＤＢ６１０と、判断部６０２と、抽出部６０３と、解析部６０４と、判定部６０５と、出力部６０６と、から構成されている。
【００８６】
まず、受信部６０１は、観測地点に設置された風向／風速計１２１によって測定された風向／風速に関する測定値と、観測地点と同一または近傍の地点に設置された吹流し１３１の挙動に関する一連の撮影画像とを受信する機能を有する。すなわち、風向／風速計１２１からの測定データ（具体的には、第１の送信機１２２からの測定データ）を受信する。この測定データは、風向／風速の測定値を示す。受信された測定データは判断部６０２に出力される。また、風向／風速計監視装置１３０からの撮像画像を受信する。受信された撮像画像は、画像ＤＢ６１０に記憶される。
【００８７】
また、判断部６０２は、受信部６０１によって受信された風速に関する測定値に基づいて、観測地点における風の強さを判断する機能を有する。具体的には、測定データによって示される風速値が、強風状態を示すしきい値以上であれば、強風状態であると判断する。また、測定データによって示される風速値が無風状態を示すしきい値以下であれば、無風状態であると判断する。恐怖状態でも無風状態でもない場合は判断（監視）を継続する。
【００８８】
また、抽出部６０３は、受信部６０１によって受信された一連の撮影画像の中から、受信部６０１によって受信された風速に関する測定値が測定されたときの撮影画像を抽出する機能を有する。具体的には、測定データを受信したときに画像取り出し開始トリガを与えることで、風速に関する測定値が測定されたときの撮像画像を抽出することができる。
【００８９】
また、解析部６０４は、抽出部６０３によって抽出された撮影画像を解析する機能を有する。解析処理の具体的内容については図３および図４を用いて説明したため、ここでは省略する。この解析処理により、風速に関する測定値が測定されたときの吹流し１３１の浮き上がり角度や吹流し１３１が流れている方角を解析結果として得ることができる。
【００９０】
また、判定部６０５は、解析部６０４によって解析された解析結果や、さらには判断部６０２によって判断された風の強さに基づいて、風向／風速に関する測定値の妥当性を判定する機能を有する。以下、判定処理について、強風状態と無風状態との場合に分けて説明する。
【００９１】
＜強風状態＞
判断部６０２により強風状態であると判断された場合、判定部６０５では、以下の１）〜３）のいずれかの判定処理を実行する。
１）解析部６０４によって解析された吹流し１３１の浮き上がり角度に基づいて、風速に関する測定値の妥当性を判定する判定処理。
２）解析部６０４によって解析された吹流し１３１が流れている方角に基づいて、風向に関する測定値の妥当性を判定する判定処理。
３）解析部６０４によって解析された吹流し１３１の浮き上がり角度に基づいて、風速に関する測定値の妥当性を判定するとともに、解析部６０４によって解析された吹流し１３１が流れている方角に基づいて、風向に関する測定値の妥当性を判定する判定処理。
【００９２】
また、上記１）〜３）についての妥当性判定の具体的処理は、以下の４）〜７）のとおりである。
４）上記１）または３）の判定処理が実行された場合において、吹流し１３１の浮き上がり角度が強風状態を示すしきい値以上である場合、風速に関する測定値が妥当であると判定する。
５）上記１）または３）の判定処理が実行された場合において、吹流し１３１の浮き上がり角度が強風状態を示すしきい値未満である場合、風速に関する測定値が妥当でないと判定する。
６）上記２）または３）の判定処理が実行された場合において、吹流し１３１が流れている方角と風向に関する測定値との差分が所定範囲（たとえば、平均して±４５°）内である場合、風向に関する測定値が妥当であると判定する。
７）上記２）または３）の判定処理が実行された場合において、吹流し１３１が流れている方角と風向に関する測定値との差分が所定範囲（たとえば、平均して±４５°）内でない場合、風向に関する測定値が妥当でないと判定する。
【００９３】
なお、上記３）の判定処理の場合、風速に関する測定値と風向に関する測定値のうち少なくともいずれか一方の測定値が妥当性なしと判定された場合、風向／風速計１２１の異常または第１の伝送路１１１での伝送中の異常であると判断してもよく、両測定値が妥当性なしと判定された場合に、風向／風速計１２１の異常または第１の伝送路１１１での伝送中の異常であると判断してもよい。
【００９４】
＜無風状態＞
判断部６０２により無風状態であると判断された場合、判定部６０５では、以下の８）〜１０）のいずれかの判定処理を実行する。
８）解析部６０４によって解析された吹流し１３１の浮き上がり角度に基づいて、風速に関する測定値の妥当性を判定する判定処理。
９）解析部６０４によって解析された吹流し１３１が流れている方角に基づいて、風向に関する測定値の妥当性を判定する判定処理。
１０）解析部６０４によって解析された吹流し１３１の浮き上がり角度に基づいて、風速に関する測定値の妥当性を判定するとともに、吹流し１３１が流れている方角に基づいて、風向に関する測定値の妥当性を判定する判定処理。
【００９５】
また、上記８）〜１０）についての妥当性判定の具体的処理は、以下の１１）〜１４）のとおりである。
１１）上記８）または１０）の判定処理が実行された場合において、吹流し１３１の浮き上がり角度が無風状態を示すしきい値以下である場合、風速に関する測定値が妥当であると判定する。
１２）上記８）または１０）の判定処理が実行された場合において、吹流し１３１の浮き上がり角度が無風状態を示すしきい値より大きい場合、風速に関する測定値が妥当でないと判定する。
１３）上記９）または１０）の判定処理が実行された場合において、吹流し１３１が流れている方角が一定である場合、風向に関する測定値が妥当であると判定する。
１４）上記９）または１０）の判定処理が実行された場合において、吹流し１３１が流れている方角が一定でない場合、風向に関する測定値が妥当でないと判定する。
【００９６】
なお、上記１０）の判定処理の場合、風速に関する測定値と風向に関する測定値のうち少なくともいずれか一方の測定値が妥当性なしと判定された場合、風向／風速計１２１の異常または第１の伝送路１１１での伝送中の異常であると判断してもよく、両測定値が妥当性なしと判定された場合に、風向／風速計１２１の異常または第１の伝送路１１１での伝送中の異常であると判断してもよい。
【００９７】
また、出力部６０６は、判定部６０５によって判定された判定結果に応じた警報情報を出力する機能を有する。警報情報は判定結果により異なる。たとえば、風向／風速計１２１の測定値が強風状態を示している場合において、妥当性ありと判定されると、風向／風速計１２１の測定値は正しいこととなるため、強風状態である旨の警報情報を出力する。反対に、妥当性なしと判定されると、風向／風速計１２１の測定値は誤りであるため、風向／風速計１２１の異常または第１の伝送路１１１での伝送中の異常であることを示す異常警報情報を出力する。
【００９８】
また、風向／風速計１２１の測定値が無風状態を示している場合において、妥当性ありと判定されると、風向／風速計１２１の測定値は正しいこととなるため、警報情報の出力をしない。反対に、妥当性なしと判定されると、風向／風速計１２１の測定値は誤りであるため、風向／風速計１２１の異常または第１の伝送路１１１での伝送中の異常であることを示す異常警報情報を出力する。また、出力部６０６による出力形式は、表示画面に表示する形式でもよく、音声出力であってもよい。
【００９９】
なお、上述した受信部６０１、判断部６０２、抽出部６０３、解析部６０４、判定部６０５、および出力部６０６は、具体的には、たとえば、図５に示したＲＯＭ５０２、ＲＡＭ５０３、ＨＤ５０５、ＦＤ５０７等に記録されたプログラムを、ＣＰＵ５０１が実行することによって、またはＩ／Ｆ５０９によってその機能を実現する。また、画像ＤＢ６１０は、具体的には、たとえば、図５に示したＲＯＭ５０２、ＲＡＭ５０３、ＨＤ５０５などの記録媒体によってその機能を実現する。
【０１００】
（風向／風速監視処理手順）
つぎに、この発明の実施の形態にかかる風向／風速監視装置１０２の風向／風速監視処理手順について説明する。図７および図８は、この発明の実施の形態にかかる風向／風速監視装置１０２の風向／風速監視処理手順を示すフローチャートである。このフローチャートでは、測定データおよび撮像画像が順次取り込まれているものとする。
【０１０１】
図７において、まず、Ｔ１≦Ｖであるか否かを判断する（ステップＳ７０１）。ここで、Ｔ１は強風を示すしきい値であり、Ｖはあるタイミングで受信された風速に関する測定値である。Ｔ１≦Ｖである場合（ステップＳ７０１：Ｙｅｓ）、測定データ（測定値）では強風状態であると判断されたこととなるため、画像切出し開始トリガを出力し（ステップＳ７０２）、所定時間分の撮像画像を画像ＤＢ６１０から抽出する（ステップＳ７０３）。
【０１０２】
ここで、所定時間分の撮像画像とは、画像切出し開始トリガの出力時を基準とする一連の撮像画像である。たとえば、画像切出し開始トリガの出力時から所定時間分さかのぼった一連の撮像画像でもよく、画像切出し開始トリガの出力時から所定時間分の一連の撮像画像でもよい。これにより、測定データを測定した時点の吹流し１３１の撮像画像を得ることができる。
【０１０３】
つぎに、解析部６０４により、抽出された撮像画像を解析して、吹流し１３１の浮き上がり角度や吹流し１３１が流れている方角を得る（ステップＳ７０４）。そして、判定部６０５により測定値が妥当であるか否かを判定する（ステップＳ７０５）。
【０１０４】
妥当でないと判定された場合（ステップＳ７０５：Ｎｏ）、異常警報情報を出力する（ステップＳ７０６）。一方、妥当であると判定された場合（ステップＳ７０５：Ｙｅｓ）、強風警報情報を出力する（ステップＳ７０７）。
【０１０５】
また、ステップＳ７０１において、Ｔ１未満である場合（ステップＳ７０１：Ｎｏ）、図８のステップＳ８０１に移行する。そして、Ｔ２≧Ｖであるか否かを判断する（ステップＳ８０１）。ここで、Ｔ２は無風状態を示すしきい値である。Ｔ２≧Ｖでない場合（ステップＳ８０１：Ｎｏ）、強風でも無風でもないため、図７のステップＳ７０１に戻る。
【０１０６】
一方、Ｔ２≧Ｖである場合（ステップＳ８０１：Ｙｅｓ）、監視タイマの計時を開始する（ステップＳ８０２）とともに、画像切出し開始トリガを出力する（ステップＳ８０３）。そして、監視タイマの計時開始後において、Ｔ２≧Ｖか否かを判断する（ステップＳ８０４）。
【０１０７】
Ｔ２≧Ｖである場合（ステップＳ８０４：Ｙｅｓ）、監視タイマ作動中において、順次取り込まれる風速に関する測定値Ｖが無風状態を示すしきい値Ｔ２以下である状態が継続していることとなる。このとき、この監視タイマ作動中に取り込まれている一連の撮像画像を画像ＤＢ６１０から抽出する。そして、解析部６０４により、抽出された一連の撮像画像を解析して、吹流し１３１の浮き上がり角度や吹流し１３１が流れている方角を撮像画像ごとに得る（ステップＳ８０５）。
【０１０８】
そして、判定部６０５により、測定値が妥当であるか否かを判定する（ステップＳ８０６）。測定値が妥当でないと判定された場合（ステップＳ８０６：Ｎｏ）、異常警報情報を出力する（ステップＳ８０７）。これにより、一連の処理を終了する。一方、測定値が妥当であると判定された場合（ステップＳ８０６：Ｙｅｓ）、監視中であるか否か、すなわち監視タイマが作動中か否かを判断し（ステップＳ８０８）、監視中である場合（ステップＳ８０８：Ｙｅｓ）、ステップＳ８０５に移行して、あらたに取り込まれた撮像画像を解析する（ステップＳ８０５）。
【０１０９】
一方、Ｔ２≧Ｖでない場合（ステップＳ８０４：Ｎｏ）、または監視中でない場合（ステップＳ８０８：Ｎｏ）、画像切出し停止トリガを出力する（ステップＳ８０９）。これにより抽出部６０３による撮像画像の抽出が停止される。このあと、図７のステップＳ７０１に移行する。
【０１１０】
このように、上述した実施の形態によれば、風向／風速計１２１から伝送路１１０までのノイズの影響により異常が発生して誤った風向／風速の計測データ（測定値）が受信された場合であっても、吹流し１３１の撮像画像を解析することにより測定データの正誤を検出することができる。したがって、測定データにより強風状態であると判断された場合に、判定部６０５により測定データが妥当性ありと判定されると、風向／風速計１２１や伝送路１１０の伝送中に異常がなかったこととなり、信頼性の高い強風警報を報知することができる。
【０１１１】
また、測定データにより強風状態であると判断された場合に、測定データが妥当性なしと判定されると、風向／風速計１２１や伝送路１１０の伝送中に異常があったこととなるため、異常警報情報を出力することができる。
【０１１２】
同様に、測定データにより無風状態であると判断された場合に、判定部６０５により測定データが妥当性ありと判定されると、無風状態であることがわかるため、風向／風速計１２１や伝送路１１０の伝送中に異常がなかったこととなり、問題がない。一方、判定部６０５により測定データが妥当性なしと判定されると、実際は無風状態ではなく、風向／風速計１２１や伝送路１１０の伝送中に異常がなかったことがわかる。したがって、異常警報情報を出力することができる。
【０１１３】
また、既設の伝送路１１０には、メタリックケーブルが用いられているため、測定データや撮像画像にノイズが重畳しやすいが、測定データにノイズが重畳して誤った測定値になったとしても、撮像画像を解析することで、妥当性の判定をおこなうことができる。一方、解析処理で得られる吹流し１３１の浮き上がり角度や吹流し１３１が流れている方角は、おおまかな値であるため、撮像画像にノイズが重畳されたとしてもほとんど影響はない。
【０１１４】
したがって、既設のメタリックケーブルであっても正確に測定データの異常を検出することができる。また、このように第１の伝送路１１１に関しては、既設のメタリックケーブルをそのまま流用することができるため、設備コストの低減化を図ることができる。
【０１１５】
また、吹流し１３１の撮像画像を監視者が目視することにより測定データの異常を判断するのではなく、撮像画像を解析することにより測定データの異常を自動検出することができるため、管理者の負担軽減を図ることができる。
【０１１６】
以上のことから、上述した実施の形態では、ノイズの影響のある伝送路１１０は必須要素であるが、その伝送路１１０を用いても測定データの信頼性の向上を図ることができる。またこれにより、強風であるときには正確に強風であると警報することができるため、交通網における安全運行をおこなうことができる。また、伝送路１１０に関しては既存の第１の伝送路１１１に第２の伝送路１１２を追加するだけでよいため、設備コストの過度な増大がなく低コスト化を実現することができる。
【０１１７】
また上述した風向／風速計監視装置１３０は、吹流し１３１の挙動を撮像することとしているが、カメラ１３３を風向軸１２１ｂに取り付けることで、風向／風速計１２１の計測本体１２１ａを正面から撮像する構成としてもよい。この場合、プロペラの回転数によりプロペラの模様が変化する構成とすることにより、プロペラ模様の撮像画像を解析する。この解析結果から得られる風速値と風速に関する測定値とを比較することで、風速に関する測定値の妥当性を判定することができる。
【０１１８】
以上説明したように、風向／風速監視装置１０２、風向／風速監視方法、風向／風速監視プログラム、該プログラムを記録した記録媒体、および風向／風速計監視装置１３０によれば、風向／風速の測定値の異常を自動的に検出することにより、異常検出に信頼性の向上を図り、これにより交通機関における運行の安全性の向上を図ることができる。
【０１１９】
なお、本実施の形態で説明した風向／風速監視方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【０１２０】
（付記１）観測地点に設置された風向／風速計によって測定された風向／風速に関する測定値と、前記観測地点と同一または近傍の地点に設置された吹流しの挙動に関する一連の撮影画像とを受信する受信手段と、
前記受信手段によって受信された一連の撮影画像の中から、前記受信手段によって受信された前記風速に関する測定値が測定されたときの撮影画像を抽出する抽出手段と、
前記抽出手段によって抽出された撮影画像を解析する解析手段と、
前記解析手段によって解析された解析結果に基づいて、前記風向／風速に関する測定値の妥当性を判定する判定手段と、
前記判定手段によって判定された判定結果に応じた警報情報を出力する出力手段と、
を備えることを特徴とする風向／風速監視装置。
【０１２１】
（付記２）前記受信手段によって受信された風速に関する測定値に基づいて、前記観測地点における風の強さを判断する判断手段を備え、
前記判定手段は、
前記判断手段によって判断された風の強さに基づいて、前記風向／風速に関する測定値の妥当性を判定することを特徴とする付記１に記載の風向／風速監視装置。
【０１２２】
（付記３）前記解析手段は、
前記判断手段によって強風状態であると判断された場合、前記抽出手段によって抽出された撮影画像から、前記風速に関する測定値が測定されたときの前記吹流しの浮き上がり角度を解析し、
前記判定手段は、
前記吹流しの浮き上がり角度に基づいて、前記風速に関する測定値の妥当性を判定することを特徴とする付記２に記載の風向／風速監視装置。
【０１２３】
（付記４）前記解析手段は、
前記判断手段によって強風状態であると判断された場合、前記抽出手段によって抽出された撮影画像から、前記風速に関する測定値が測定されたときの前記吹流しが流れている方角を解析し、
前記判定手段は、
前記吹流しが流れている方角に基づいて、前記風向に関する測定値の妥当性を判定することを特徴とする付記２に記載の風向／風速監視装置。
【０１２４】
（付記５）前記解析手段は、
前記判断手段によって強風状態であると判断された場合、前記抽出手段によって抽出された撮影画像から、前記風速に関する測定値が測定されたときの前記吹流しの浮き上がり角度と前記吹流しが流れている方角とを解析し、
前記判定手段は、
前記吹流しの浮き上がり角度に基づいて、前記風速に関する測定値の妥当性を判定するとともに、前記吹流しが流れている方角に基づいて、前記風向に関する測定値の妥当性を判定することを特徴とする付記２に記載の風向／風速監視装置。
【０１２５】
（付記６）前記判定手段は、
前記吹流しの浮き上がり角度が強風状態を示すしきい値以上である場合、前記風速に関する測定値が妥当であると判定することを特徴とする付記３または５に記載の風向／風速監視装置。
【０１２６】
（付記７）前記判定手段は、
前記吹流しの浮き上がり角度が強風状態を示すしきい値未満である場合、前記風速に関する測定値が妥当でないと判定することを特徴とする付記３または５に記載の風向／風速監視装置。
【０１２７】
（付記８）前記判定手段は、
前記吹流しが流れている方角と前記風向に関する測定値との差分が所定範囲内である場合、前記風向に関する測定値が妥当であると判定することを特徴とする付記４または５に記載の風向／風速監視装置。
【０１２８】
（付記９）前記判定手段は、
前記吹流しが流れている方角と前記風向に関する測定値との差分が所定範囲内でない場合、前記風向に関する測定値が妥当でないと判定することを特徴とする付記４または５に記載の風向／風速監視装置。
【０１２９】
（付記１０）前記出力手段は、
前記判定手段によって妥当性ありと判定された場合、強風に関する警報情報を出力することを特徴とする付記１〜６または８のいずれか一つに記載の風向／風速監視装置。
【０１３０】
（付記１１）前記出力手段は、
前記判定手段によって妥当性なしと判定された場合、前記風速に関する測定値の異常に関する警報情報を出力することを特徴とする付記１〜５、７または９のいずれか一つに記載の風向／風速監視装置。
【０１３１】
（付記１２）前記解析手段は、
前記判断手段によって無風状態であると判断された場合、前記抽出手段によって抽出された撮影画像から、前記風速に関する測定値が測定されたときの前記吹流しの浮き上がり角度を解析し、
前記判定手段は、
前記吹流しの浮き上がり角度に基づいて、前記風速に関する測定値の妥当性を判定することを特徴とする付記２に記載の風向／風速監視装置。
【０１３２】
（付記１３）前記解析手段は、
前記判断手段によって無風状態であると判断された場合、前記抽出手段によって抽出された撮影画像から、前記風速に関する測定値が測定されたときの前記吹流しが流れている方角を解析し、
前記判定手段は、
前記吹流しが流れている方角に基づいて、前記風向に関する測定値の妥当性を判定することを特徴とする付記２に記載の風向／風速監視装置。
【０１３３】
（付記１４）前記解析手段は、
前記判断手段によって無風状態であると判断された場合、前記抽出手段によって抽出された撮影画像から、前記風速に関する測定値が測定されたときの前記吹流しの浮き上がり角度と前記吹流しが流れている方角とを解析し、
前記判定手段は、
前記吹流しの浮き上がり角度に基づいて、前記風速に関する測定値の妥当性を判定するとともに、前記吹流しが流れている方角に基づいて、前記風向に関する測定値の妥当性を判定することを特徴とする付記２に記載の風向／風速監視装置。
【０１３４】
（付記１５）前記判定手段は、
前記吹流しの浮き上がり角度が無風状態を示すしきい値以下である場合、前記風速に関する測定値が妥当であると判定することを特徴とする付記１２または１４に記載の風向／風速監視装置。
【０１３５】
（付記１６）前記判定手段は、
前記吹流しの浮き上がり角度が無風状態を示すしきい値より大きい場合、前記風速に関する測定値が妥当でないと判定することを特徴とする付記１２または１４に記載の風向／風速監視装置。
【０１３６】
（付記１７）前記判定手段は、
前記吹流しが流れている方角が一定である場合、前記風向に関する測定値が妥当であると判定することを特徴とする付記１３または１４に記載の風向／風速監視装置。
【０１３７】
（付記１８）前記判定手段は、
前記吹流しが流れている方角が一定でない場合、前記風向に関する測定値が妥当でないと判定することを特徴とする付記１３または１４に記載の風向／風速監視装置。
【０１３８】
（付記１９）前記判定手段は、
前記判断手段によって前記観測地点が無風であると判断されたときから所定の監視時間が経過するまでの間に、妥当性ありと判定された場合、前記所定の監視時間が経過するまでの間に、妥当性を再判定することを特徴とする付記１、２、１２〜１５または１７のいずれか一つに記載の風向／風速監視装置。
【０１３９】
（付記２０）前記出力手段は、
前記判定手段によって妥当性なしと判定された場合、前記測定値の異常に関する警報情報を出力することを特徴とする付記１、２、１２〜１４、１６または１８のいずれか一つに記載の風向／風速監視装置。
【０１４０】
（付記２１）観測地点に設置された風向／風速計によって測定された風向／風速に関する測定値と、前記観測地点と同一または近傍の地点に設置された吹流しの挙動に関する一連の撮影画像とを受信する受信工程と、
前記受信工程によって受信された一連の撮影画像の中から、前記受信工程によって受信された前記風速に関する測定値が測定されたときの撮影画像を抽出する抽出工程と、
前記抽出工程によって抽出された撮影画像を解析する解析工程と、
前記解析工程によって解析された解析結果に基づいて、前記風向／風速に関する測定値の妥当性を判定する判定工程と、
前記判定工程によって判定された判定結果に応じた警報情報を出力する出力工程と、
を含んだことを特徴とする風向／風速監視方法。
【０１４１】
（付記２２）観測地点に設置された風向／風速計によって測定された風向／風速に関する測定値と、前記観測地点と同一または近傍の地点に設置された吹流しの挙動に関する一連の撮影画像とを受信させる受信工程と、
前記受信工程によって受信された一連の撮影画像の中から、前記受信工程によって受信された前記風速に関する測定値が測定されたときの撮影画像を抽出させる抽出工程と、
前記抽出工程によって抽出された撮影画像を解析させる解析工程と、
前記解析工程によって解析された解析結果に基づいて、前記風向／風速に関する測定値の妥当性を判定させる判定工程と、
前記判定工程によって判定された判定結果に応じた警報情報を出力させる出力工程と、
をコンピュータに実行させることを特徴とする風向／風速監視プログラム。
【０１４２】
（付記２３）付記２２に記載の風向／風速監視プログラムを記録した前記コンピュータに読み取り可能な記録媒体。
【０１４３】
（付記２４）観測地点に設置された風向／風速計と、前記観測地点における風向／風速を監視する監視装置と、を備える風向／風速監視システムにおいて、
前記観測地点と同一または近傍の地点に設置された吹流しと、
前記吹流しを撮影する撮影手段と、を備え、
前記監視装置は、
前記風向／風速計から伝送されてくる風向／風速に関する測定値と、前記撮影手段から伝送されてくる前記吹流しの挙動に関する一連の撮影画像の解析結果と、に基づいて、前記測定値の異常を検出することを特徴とする風向／風速監視システム。
【０１４４】
（付記２５）風向／風速を測定する風向／風速計が設置されている観測地点と同一または近傍の地点に設置された吹流しと、
前記吹流しを撮影するカメラと、
前記風向／風速計から伝送されてくる風向／風速に関する測定値を受信することにより前記観測地点における風向／風速を監視する監視装置に対し、前記カメラによって撮影された前記吹流しの挙動に関する一連の撮影画像を送信する送信機と、
を備えることを特徴とする風向／風速計監視装置。
【産業上の利用可能性】
【０１４５】
以上のように、本発明にかかる風向／風速監視装置、風向／風速監視方法、および風向／風速監視プログラムは、鉄道、道路、航空などの交通機関の交通網（鉄道網や高速道路、空港）に有用である。
【図面の簡単な説明】
【０１４６】
【図１】この発明の実施の形態にかかる風向／風速監視システムの概略構成を示す説明図である。
【図２】図１に示した計測装置の具体的構成を示す説明図である。
【図３】カメラによる風向の撮像を示す説明図である。
【図４】カメラによる風速の撮像を示す説明図である。
【図５】この発明の実施の形態にかかる風向／風速監視装置のハードウェア構成を示すブロック図である。
【図６】図１に示した風向／風速監視装置の機能的構成を示すブロック図である。
【図７】この発明の実施の形態にかかる風向／風速監視装置の風向／風速監視処理手順を示すフローチャート（その１）である。
【図８】この発明の実施の形態にかかる風向／風速監視装置の風向／風速監視処理手順を示すフローチャート（その２）である。
【符号の説明】
【０１４７】
１００  風速監視システム
１０１  計測装置
１０２  風速監視装置
１１０  伝送路
１１１  第１の伝送路
１１２  第２の伝送路
１２１  風向／風速計
１２３  第３の伝送路
１３０  風速計監視装置
１３３  カメラ
１５０  線路
６０１  受信部
６０２  判断部
６０３  抽出部
６０４  解析部
６０５  判定部
６０６  出力部
【図１】
2008116359.tif 000003
【図２】
2008116359.tif 000004
【図３】
2008116359.tif 000005
【図４】
2008116359.tif 000006
【図５】
2008116359.tif 000007
【図６】
2008116359.tif 000008
【図７】
2008116359.tif 000009
【図８】
2008116359.tif 000010